(57)【要約】【課題】被測定者の目線が下がることによる測定姿勢の悪化を防止することのできる電子血圧計を提供すること。【解決手段】電子血圧計は、たとえば上腕２１０に巻き付けるためのカフ２０の所定の位置に、光を投射するための投射部６１を含む。投射部６１は、使用状態において、電子血圧計が存在する空間の壁面３１０上の、被測定者２００の目の高さから所定範囲内の方向に、光を投射する。投射部６１は、血圧の測定処理の期間に駆動制御される。【選択図】図６
2010207334.tif 000002
【特許請求の範囲】
【請求項１】
被測定者の血圧を測定するための電子血圧計であって、
所定の測定部位に巻き付けるためのカフと、
前記カフ内の圧力を表わすカフ圧信号を検出するための圧力検出手段と、
前記カフ圧信号に基づいて血圧の測定処理を実行するための測定制御手段と、
光を投射するための投射手段とを備える、電子血圧計。
【請求項２】
前記投射手段は、使用状態において、前記被測定者の前方に向かう方向であって、かつ、当該方向に存在する壁面への投射位置が、前記被測定者の目の高さ以上所定範囲内の位置となる方向に、光を投射する、請求項１に記載の電子血圧計。
【請求項３】
前記投射手段による投射角度を調節するために、前記投射手段を回転可能に支持する回転手段をさらに備える、請求項２に記載の電子血圧計。
【請求項４】
前記測定部位は、上腕であり、
前記投射手段は、前記カフに設けられる、請求項３に記載の電子血圧計。
【請求項５】
前記測定部位は、手首であり、
所定の基準方向に対する前記カフの角度を検出するための角度検出手段と、
前記角度検出手段による検出結果に基づいて、前記カフの位置が前記測定処理に適した所定範囲内か否かを判断するための判断手段とをさらに備え、
前記投射制御手段は、前記判断手段による判断結果に応じて前記投射角度を変更する、請求項３に記載の電子血圧計。
【請求項６】
前記投射手段は、発光手段である、請求項１〜５のいずれかに記載の電子血圧計。
【請求項７】
前記投射手段は、プロジェクタである、請求項１〜５のいずれかに記載の電子血圧計。
【発明の詳細な説明】
【技術分野】
【０００１】
本発明は、電子血圧計に関し、特に、被測定者の測定姿勢をガイドすることのできる電子血圧計に関する。
【背景技術】
【０００２】
血圧測定を精度よく行うには、測定時の姿勢が重要である。そのため、従来より、被測定者の測定姿勢をガイドすることのできる血圧計が提案されている。
【０００３】
たとえば、特許文献１には、手首を測定部位とする血圧計において、血圧計の圧力基準位置が心臓とほぼ同じ高さとなる適正範囲内になったか否かを判定し、適正範囲内となった場合に測定が自動的に開始されることが記載されている。具体的には、１軸または２軸の角度センサにより検出される角度を高さに変換することで、測定部位の位置と心臓位置とのずれ幅（高低差）が算出される。そして、そのずれ幅が所定範囲（適正範囲）内か否かが判定される。
【０００４】
このような技術によると、測定部位の位置が適正範囲内にならない限り測定が開始されないので、適切な測定姿勢をガイドすることができる。
【先行技術文献】
【特許文献】
【０００５】
【特許文献１】再公表２００２−０３９８９３号公報
【発明の概要】
【発明が解決しようとする課題】
【０００６】
上述のように、手首式の血圧計においては、適切な測定姿勢を促すための提案がされている。
【０００７】
一般的に、上腕を測定部位とする血圧計であれば、測定部位の高さは心臓の高さとほぼ一致しているため、高さのずれは生じないと考えられている。そのため、上腕式の血圧計において、適切な測定姿勢を促すための提案はなされていない。
【０００８】
しかし、上腕式の血圧計のほとんどは、ディスプレイが配置された本体部は、カフとは別体であり、血圧を測定する場合、本体部は机などの台に載置される。そのような場合、被測定者は、測定中、本体部の表面に配置されているディスプレイを見ようとしてしまう。そうすると、被測定者の目線（視線）は下がり、自然に姿勢が悪くなってしまう。また、家庭にて一人で測定する場合、自分の姿勢が悪くなっていても気づかない。
【０００９】
本発明は、上記のような問題を解決するためになされたものであって、その目的は、被測定者の目線が下がることによる測定姿勢の悪化を防止することのできる電子血圧計を提供することである。
【課題を解決するための手段】
【００１０】
この発明のある局面に従う電子血圧計は、被測定者の血圧を測定するための電子血圧計であって、所定の測定部位に巻き付けるためのカフと、カフ内の圧力を表わすカフ圧信号を検出するための圧力検出手段と、カフ圧信号に基づいて血圧の測定処理を実行するための測定制御手段と、光を投射するための投射手段とを備える。
【００１１】
好ましくは、投射手段は、使用状態において、被測定者の前方に向かう方向であって、かつ、当該方向に存在する壁面への投射位置が、被測定者の目の高さ以上所定範囲内の位置となる方向に、光を投射する。
【００１２】
好ましくは、投射手段による投射角度を調節するために、投射手段を回転可能に支持する回転手段をさらに備える。
【００１３】
好ましくは、投射制御手段は、さらに、ユーザからの指示に基づいて、回転手段を制御する。
【００１４】
好ましくは、測定部位は、上腕であり、投射手段は、カフに設けられる。
好ましくは、測定部位は、手首であり、所定の基準方向に対するカフの角度を検出するための角度検出手段と、角度検出手段による検出結果に基づいて、カフの位置が測定処理に適した所定範囲内か否かを判断するための判断手段とをさらに備え、投射制御手段は、判断手段による判断結果に応じて投射角度を変更する。
【００１５】
好ましくは、測定処理と関連した表示を行なうための表示手段と、投射手段の駆動を制御するための投射制御手段とをさらに備え、投射制御手段は、測定制御手段による測定処理の期間に投射手段を駆動する。
【００１６】
好ましくは、投射手段は、発光手段である。
あるいは、投射手段は、プロジェクタであることが望ましい。
【発明の効果】
【００１７】
本発明によると、所定のマークが特定方向に投射されるため、被測定者の目線をコントロールすることができる。その結果、測定姿勢の悪化を防止することができる。
【図面の簡単な説明】
【００１８】
【図１】本発明の実施の形態に係る電子血圧計の概観を示す図である。
【図２】本発明の実施の形態に係る電子血圧計の構成を表わすブロック図である。
【図３】図１に示したＩＩＩ−ＩＩＩ線に沿った模式断面図である。
【図４】本発明の実施の形態における電子血圧計が実行する処理を示すフローチャートである。
【図５】本発明の実施の形態による効果の比較例（従来の一般的な電子血圧計で起こり得る不適切な測定姿勢）を示す図である。
【図６】本発明の実施の形態による効果を説明するための図である。
【図７】本発明の実施の形態の変形例１における電子血圧計を説明するための図である。
【図８】本発明の実施の形態の変形例２における電子血圧計を説明するための図である。
【図９】本発明の実施の形態の変形例３における電子血圧計が実行する処理を示すフローチャートである。
【図１０】本発明の実施の形態の変形例３における電子血圧計の動作を説明するための図である。
【発明を実施するための形態】
【００１９】
本発明の実施の形態について図面を参照しながら詳細に説明する。なお、図中同一または相当部分には同一符号を付してその説明は繰返さない。
【００２０】
＜概観および構成＞
はじめに、本発明の実施の形態に係る電子血圧計（以下「血圧計」と略す）の概観お
よび構成について説明する。
【００２１】
（概観について）
図１を参照して、血圧計１は、本体部１０と、被測定者２００の上腕２１０に巻き付け可能なカフ２０と、本体部１０およびカフ２０とを接続するエアチューブ３１とを備える。
【００２２】
本体部１０は、机などの台３００に載置される。本体部１０の表面には、たとえば液晶等により構成される表示部４０と、ユーザ（代表的に被測定者）からの指示を受付けるための操作部４１とが配置されている。
【００２３】
操作部４１は、たとえば、電源をＯＮまたはＯＦＦするための指示の入力を受付ける電源スイッチ４１Ａと、測定開始の指示を受付けるための測定スイッチ４１Ｂと、各種の設定処理や記憶値読出しの指示を受付けるための設定スイッチ４１Ｃとを有する。
【００２４】
カフ２０の所定の位置には、光を投射するための投射部６１が設けられている。なお、本明細書において、「光を投射する」とは、ある面に、光そのものを映し出すことの他、像を映し出すことも含むこととする。
【００２５】
本実施の形態において、投射部６１は、光を投射するための発光装置、たとえば、ＬＥＤ（Light Emitting Diode）、あるいは、半導体レーザ（レーザポインタ）である。したがって、投射部６１は、光により表わされる円（点）を、血圧計１が存在する空間の壁面に映し出す。
【００２６】
投射部６１は、特定方向に光を投射する。本実施の形態において、「特定方向」とは、使用状態において、被測定者２００の前方に向かう方向であって、かつ、当該方向に存在する壁面への光（像）の投射位置が、被測定者２００の目の高さと一致もしくは少し上（所定範囲内）の位置となる方向を表わす。
【００２７】
本実施の形態では、測定部位は上腕２１０である。したがって、上述した投射部６１の投射方向のデフォルトは、湾曲形状のカフ２０の投射部６１が設けられた部分の接線方向であってカフ２０を上腕２１０に装着した場合に被測定者２００の前方に向かう方向を基準の方向とした場合に、当該基準の方向に合致するか、あるいは当該基準の方向から上記接線を含む平面内において所定角度だけ傾斜した方向に定められる。ここで、「所定角度」とは、カフ２０を上腕２１０に装着した場合に、上記接線を含む平面内において上記基準の方向よりも鉛直方向上向きに形成される角度であって、その具体的な角度は、たとえば０°より大きく３０°以下であり、より好適には１０°程度である（図６参照）。 
【００２８】
投射部６１は、投射方向（投射角度）のデフォルトを調節するために、上述した接線を含む平面内において回転可能となるようにカフ２０に取り付けられていてもよい。この場合、投射部６１の回転方向は、図中において示す矢印の方向となる。被測定者２００が、想定される適切な測定姿勢をとっている場合に投射部６１を回転させると、投射方向のデフォルトが調節されることにより、壁面に映し出される光のデフォルトの位置が鉛直方向に上下することになる。あるいは、被測定者２００の身体的な条件（たとえば、肩の位置が通常よりも前に出ている、腕が曲がり難い）などにより適切な測定姿勢をとれず、壁面における投射位置が被測定者２００の目の高さ未満となってしまうような場合であっても、投射部６１を回転させることにより、投射位置が目の高さ以上となるように調節することができる。
【００２９】
本実施の形態では、たとえば、操作部４１を介してユーザより投射角度の変更指示があった場合に、投射部６１の回転角度が調節される。なお、ユーザが直接、投射部６１を手で動かすことで、回転角度が調節できてもよい。
【００３０】
また、投射部６１のカフ２０への取り付け位置は、図１に示したような位置に限定されず、投射部６１から上記特定方向に光が投射できればよい。あるいは、上記特定方向に光が投射できれば、本体部１０に設けられてもよい。
【００３１】
（構成について）
図２を参照して、血圧計１のカフ２０は、空気袋２１と、投射部６１を回転させるための回転部６２と、投射部６１の回転角度を検出するための位置センサ６３とを含む。空気袋２１は、エアチューブ３１を介して、エア系３０に接続される。
【００３２】
ここで、図３を参照して、投射部６１を回転可能にするための構造例について説明する。図３には、図１に示した血圧計１のＩＩＩ−ＩＩＩ線に沿った模式断面図が示されている。
【００３３】
カフ２０は、装着状態において外側に位置する外布１３と、内側に位置する内布１４と、外布１３と内布１４との間に設けられる空気袋２１と、空気袋２１の外側に位置するカーラ１２とを備える。これらの外布１３，内布１４，空気袋２１およびカーラ１２は、カフ２０の巻き付け方向を長手方向として延在している。
【００３４】
外布１３の外周面には、測定部位である上腕にカフ２０を装着した状態において、血圧計１を測定部位（上腕）に安定的に固定するための面ファスナ１６が設けられる。
【００３５】
カーラ１２は、径方向に弾性変形可能に構成された可撓性部材である。このカーラ１２は、自身の環状形態を維持するように構成されており、装着状態において空気袋２１を測定部位に向かって押圧する。
【００３６】
本実施の形態において、回転部６２は、たとえば、投射部６１を回転可能に支持する回転軸であり、外布１３とカーラ１２との間に配置される。また、位置センサ６３は、たとえば角度センサであり、回転部６２に取り付けられている。
【００３７】
本体部１０は、上述の表示部４０および操作部４１に加え、エア系３０と、各部を集中的に制御し、各種演算処理を行なうためのＣＰＵ（Central Processing Unit）１００と、ＣＰＵ１００に所定の動作をさせるプログラムや各種データを記憶するためのメモリ部４２と、測定された血圧を記憶するための不揮発性メモリ（たとえばフラッシュメモリ）４３と、ＣＰＵ１００等に電力を供給するための電源４４と、計時動作を行なう計時部４５と、外部よりデータの入力を受付けるためのデータ入出力部４６とを含む。
【００３８】
エア系３０は、空気袋２１内の圧力（カフ圧）を検出するための圧力センサ３２と、カフ圧を加圧するために、空気袋２１に空気を供給するためのポンプ５１と、空気袋２１の空気を排出しまたは封入するために開閉される弁５２とを含む。
【００３９】
本体部１０は、上記エア系３０に関連して、発振回路３３と、ポンプ駆動回路５３と、弁駆動回路５４とをさらに含む。
【００４０】
圧力センサ３２は、たとえば静電容量形の圧力センサであり、カフ圧により容量値が変化する。発振回路３３は、圧力センサ３２の容量値に応じた発振周波数の信号をＣＰＵ１００に出力する。ＣＰＵ１００は、発振回路３３から得られる信号を圧力に変換し圧力を検知する。ポンプ駆動回路５３は、ポンプ５１の駆動をＣＰＵ１００から与えられる制御信号に基づいて制御する。弁駆動回路５４は弁５２の開閉制御をＣＰＵ１００から与えられる制御信号に基づいて行なう。
【００４１】
ポンプ５１、弁５２、ポンプ駆動回路５３および弁駆動回路５４は、カフ圧を調整するための調整ユニット５０を構成する。なお、カフ圧を調整するためのデバイスは、これらに限定されるものではない。
【００４２】
データ入出力部４６は、たとえば、着脱可能な記録媒体１３２からプログラムやデータの読み出しおよび書き込みをする。また／あるいは、データ入出力部４６は、外部の図示しないコンピュータから通信回線を介してプログラムやデータの送受信ができてもよい。
【００４３】
本実施の形態において、本体部１０は、さらに、投射部６１の駆動を制御するための制御回路７１と、回転部６２を駆動するための回転部駆動回路７２と、位置センサ６３からの信号をＣＰＵ１００に転送するためのＩ／Ｆ（インターフェイス）回路７３とを含む。Ｉ／Ｆ回路７３は、位置センサ６３からのアナログ信号をデジタル信号に変換する機能を備えていてもよい。
【００４４】
なお、上述の図３においては、投射部６１と制御回路７１とを接続する信号線、回転部６２と回転部駆動回路７２とを接続する信号線、位置センサ６３とＩ／Ｆ回路７３とを接続する信号線などは、図示が省略されているものとする。これらの信号線は、エアチューブ３１と組まれてよい。
【００４５】
また、カフ２０には空気袋２１が含まれることとしたが、カフ２０に供給される流体は空気に限定されるものではなく、たとえば液体やゲルであってもよい。あるいは、流体に限定されるものではなく、マイクロビーズなどの均一な微粒子であってもよい。
【００４６】
また、図２には、角度センサ６５およびＡ／Ｄ（analog to digital）コンバータ７５が示されているが、これらは、後述する変形例３において用いられる。したがって、これらは、本実施の形態では、血圧計１の構成に含まれなくてよい。
【００４７】
図２には、ＣＰＵ１００が達成する機能の構成も示されている。図２を参照して、ＣＰＵ１００は、その機能として、測定制御部１０２と、投射制御部１０４とを有する。
【００４８】
測定制御部１０２は、血圧の測定処理を実行するための制御を行なう。測定制御部１０２は、発振回路３３からの信号（以下「圧力信号」という）に基づいて、カフ圧を検知する。また、ポンプ駆動回路５３および弁駆動回路５４に制御信号を送信することで、カフ２０内の圧力を調整する。測定制御部１０２が実行する血圧の測定処理は、公知の手法（たとえばオシロメトリック法）により実現されてよい。
【００４９】
投射制御部１０４は、投射部６１の駆動を制御する。投射制御部１０４は、投射部６１の発光を制御するために制御回路７１との間で信号を送受信する。また、回転部駆動回路７２に対して回転部６２の回転を指示する指示信号を送信する。また、Ｉ／Ｆ回路７３を介して入力される位置センサ６３の検出信号に基づいて、回転部６２の位置（回転角度）を検知する。
【００５０】
投射制御部１０４は、ユーザからの指示に基づいて、回転部６２を回転させることにより、投影方向を調節制御する。なお、このような調節制御が行なわれない形態であってもよい。その場合、位置センサ６３、回転部駆動回路７２およびＩ／Ｆ回路７３は、血圧計１に含まれなくてよい。
【００５１】
測定制御部１０２および投射制御部１０４の動作は、メモリ部４２中に格納されたソフトウェアを実行することで実現される。なお、これらの少なくとも一方は、ハードウェアで実現されてもよい。
【００５２】
＜動作について＞
図４のフローチャートを参照して、本実施の形態における血圧計１のＣＰＵ１００が実行する処理について説明する。このフローチャートに従うプログラムは、メモリ部４２に予め記憶されており、ＣＰＵ１００がメモリ部４２からこのプログラムを読出し実行することにより本処理の機能が実現される。
【００５３】
血圧計１の電源スイッチ４１Ａが押下され、電源が投入されると、はじめに、初期化処理が実行される（ステップＳ１０２）。具体的には、たとえば、メモリ部４２の所定の領域を初期化し、空気袋２１の空気を排気し、圧力センサ３２の０ｍｍＨｇ補正を行なう。
【００５４】
初期化が終わると、ＣＰＵ１００は、測定スイッチ４１Ｂが押下されたか否かを判断する（ステップＳ１０４）。測定スイッチ４１Ｂが押下されるまで待機する。測定スイッチ４１Ｂが押下されたと判断すると（ステップＳ１０４においてＹＥＳ）、ステップＳ１０６に進む。
【００５５】
ステップＳ１０６において、投射制御部１０４は、投射処理を開始する。具体的には、制御回路７１に制御信号を送信して、投射部６１を投射（発光）させる。また、ユーザより操作部４１を介して投射方向の変更指示が入力された場合には、投射制御部１０４は、回転部駆動回路７２に制御信号を送信することで、投射方向を上下に（鉛直方向に）移動させる。つまり、投射角度が調整制御される。
【００５６】
なお、投射方向の変更指示は、一旦、上述のデフォルトの方向で投射した後に受け付けてよい。あるいは、予めユーザにより希望の投射方向（角度）がたとえばフラッシュメモリ４３に登録されていてもよい。その場合、投射制御部１０４は、フラッシュメモリ４３に登録された角度に応じて、投射部６１を回転させればよい。
【００５７】
ＣＰＵ１００は、投射処理が開始された後、所定の測定開始条件が成立したか否かを判断する（ステップＳ１０８）。本実施の形態において、たとえば、ユーザより投射角度の変更指示が入力されない継続期間が所定時間（たとえば５秒）となったときに、測定開始条件が成立したと判断される。このような条件が成立したと判断された場合（ステップＳ１０８にてＹＥＳ）、測定制御部１０２による測定処理が実行される（ステップＳ１１０〜Ｓ１１４）。
【００５８】
具体的には、測定制御部１０２は、ポンプ５１を駆動開始し、空気袋２１内の圧力を徐々に上昇させる（ステップＳ１１０）。血圧測定のための所定レベルにまでカフ圧が達すると、ポンプ５１を停止する。そして、閉じていた弁５２を徐々に開いて、空気袋２１の空気を徐々に排気し、カフ圧を徐々に減圧させる（ステップＳ１１２）。本実施の形態では減圧過程において血圧を測定することとするが、加圧過程において血圧を測定してもよい。
【００５９】
次に、測定制御部１０２は公知の手法で血圧（最高血圧、最低血圧）を算出する（ステップＳ１１４）。具体的には、カフ圧が徐々に減圧する過程において、発振回路３３から得られる発振周波数に基づき脈波情報を抽出する。そして、抽出された脈波情報により血圧を算出する。
【００６０】
なお、少なくとも減圧中、表示部４０には、現在の血圧値（カフ圧）についての情報が表示されているものとする。
【００６１】
血圧が算出されると、投射制御部１０４は、投射処理を終了する（ステップＳ１１５）。つまり、投射部６１の発光が終了される。
【００６２】
測定制御部１０２は、算出された血圧のデータをフラッシュメモリ４３に格納し（ステップＳ１１６）、算出された血圧を表示部４０に表示する（ステップＳ１１８）。
【００６３】
以上で、一連の処理は終了される。
＜実施の形態による効果＞
図５および図６を比較して、本実施の形態による効果について説明する。
【００６４】
従来より存在するほとんどの血圧計では、測定中にも血圧値（カフ圧）が表示される。そのため、血圧計（たとえばカフ２０＃）に投射部が設けられていない場合、図５に示されるように、被測定者２００は、測定中、本体部１０＃の表示部４０＃を注視してしまう傾向にある。そうすると、前かがみになり、不適切な測定姿勢となる可能性がある。とくに、表示部４０の表示面積が小さい場合や、被測定者２００が年配であれば顕著である。その結果、血圧の測定結果の信頼性は低下する。
【００６５】
これに対し、図６に示されるように、本実施の形態によると、測定処理の間、投射部６１によって、被測定者２００の前方方向に存在する壁面３１０に、たとえば半径１ｃｍ程度の光の円４００が投射される。したがって、家庭で一人で測定していたとしても、測定中、被測定者２００の視線（目線）２２０を円４００に注目させることができる。よって、姿勢が悪くなってしまうことを避けることができる。また、これにより、測定結果の信頼性も向上する。
【００６６】
また、円４００によって直接目線２２０をコントロールできるので、たとえば「目線が下がらないようにして下さい」といったメッセージ等で報知するよりも、姿勢を正すのに効果的である。
【００６７】
また、目線２２０をコントロールすることで、前かがみの姿勢を避けるために表示部４０の表示面積を大きくしなくても済む。
【００６８】
また、投射部６１のデフォルトの投射角度（基準の方向Ｄ１に対して上向きにたとえば１０°）は、被測定者２００が適切な測定姿勢をとった場合に、円４００が、被測定者２００の目の高さと一致もしくは少し上（目の高さから所定の範囲内）に投射されるように設定されている。どのような被測定者であっても、上腕から目の高さまでの距離は、大きく変わらないためである。したがって、もし、円４００の位置が自分の目の高さよりも下にあれば、被測定者２００は、自分の姿勢が不適切であることに気付くことができる。
【００６９】
なお、上述の身体的な条件によって所望の高さ（目の高さよりも少し上）にならない場合も考えられるが、本実施の形態によると、被測定者２００が投射角度を変更することができる。したがって、被測定者２００ごとに適切に目線をコントロールすることができる。
【００７０】
さらに、本実施の形態の投射部６１は、ＬＥＤで十分であり、小型かつ安価な装置によって、正しい姿勢を促すことができる。
【００７１】
なお、本実施の形態では、血圧測定開始前から測定（血圧の算出）が終わるまで投射処理が継続されたが限定的ではない。投射処理は、少なくとも、血圧の算出に用いられる脈波情報の抽出期間（上記例では、減圧期間）を含んでいればよい。
【００７２】
＜変形例１＞
上記実施の形態では、投射部６１がＬＥＤなどの発光装置であることとして説明したが、投射部６１は、文字や画像を投影可能な（小型）プロジェクタであってもよい。
【００７３】
図７を参照して、プロジェクタである投射部６１Ａは、壁面３１０に、たとえば「目線を上に」といったメッセージ４１０を投影することができる。
【００７４】
なお、このように投射部６１Ａがプロジェクタである場合、測定処理と関連する情報（たとえば、測定中の血圧値や測定結果）をさらに壁面３１０に投影してもよい。その場合、表示部４０を設けなくてもよくなる。
【００７５】
特にそのような場合、ユーザからの指示に基づき、投影画像の大きさをさらに調節できてもよい。
【００７６】
＜変形例２＞
上記実施の形態では、測定部位は上腕であることとして説明したが、測定部位は手首であってもよい。
【００７７】
図８に示されるように、カフ２０Ａは、被測定者２００の手首２１１に装着される。一般的な手首式の血圧計のように、本体部１０Ａは、カフ２０Ａの所定の位置に取り付けられている。
【００７８】
投射部６１Ｂは、たとえば、本体部１０Ａの右側面（装着状態において手指側の側面）に配置される。投射部６１Ｂは、本体部１０Ａの左右方向（手首２１１の軸方向と平行する方向）を軸として回転可能であるものとする。
【００７９】
このように、手首式の血圧計の場合であっても、被測定者２００の目線２２０をコントロールすることで、適切な測定姿勢に導くことができる。
【００８０】
なお、本変形例と、上記変形例１と組合わせてもよい。
＜変形例３＞
なお、測定部位が手首である場合、従来より存在する高さ検知機能を利用して、投射方向を自動で切り替えてもよい。
【００８１】
高さ検知機能とは、簡単に説明すると、次のようである。すなわち、電源が投入されると、角度センサからの出力に基づいて、カフの位置と心臓位置とのずれ幅（高低差）が算出される。そして、ずれ幅が所定範囲（以下「適正範囲」という）内になった場合に、測定が開始される。
【００８２】
本変形例における血圧計の主な構成は、図２に示した構成と同様である。ただし、図８に示したようなカフ２０Ａは、さらに、所定の基準方向（たとえば鉛直方向）に対するカフ２０Ａの角度を検出するための角度センサ６５を含んでいる。また、本体部１０には、角度センサ６５からのアナログ信号をデジタル信号に変換するためのＡ／Ｄコンバータ７５が含まれる。
【００８３】
角度センサ６５は、２軸であってもよいし１軸であってもよい。
本実施の形態の変形例３における血圧計１のＣＰＵ１００が実行する処理について説明する。
【００８４】
図９のフローチャートにおいて、図４のフローチャートと同様の処理については同じステップ番号を付してある。したがって、それらについての説明は繰返さない。
【００８５】
実施の形態と比較すると、図４のステップＳ１０４〜Ｓ１０８に代えて、ステップＳ２０４〜Ｓ２１０の処理が行なわれる。その他は実施の形態と同様である。
【００８６】
ステップＳ２０４において、まず、角度センサ６５による高さ検知処理を開始する。ＣＰＵ１００は、角度センサ６５からの出力に基づいて、公知の手法により高低差ΔＨを算出する。高低差ΔＨは、測定部位すなわちカフ２０Ａの位置と、（仮想的な）心臓位置とのずれ幅を表わしている。
【００８７】
ＣＰＵ１００は、高低差ΔＨが適正範囲内であるか否かを判断する（ステップＳ２０６）。適正範囲外であれば（ステップＳ２０６にてＮＯ）、投射制御部１０４は、ユーザ（被測定者）側に投射する（ステップＳ２０８）。つまり、図１０に示されるように、投射部６１による投射方向がユーザの心臓位置４１０の方向となるように回転部６２の位置が決定される。
【００８８】
その後、高低差ΔＨが適正範囲内となったと判断されると（ステップＳ２０６にてＹＥＳ）、投射制御部１０４は、図８に示したように壁面を投射する（ステップＳ２１０）。つまり、回転部６２が、たとえば１８０度回転制御される。
【００８９】
このように、血圧測定開始前後で投射方向を変えることで、注目すべき場所を被測定者に認識させることができる。
【００９０】
なお、本実施の形態では、角度センサ６５からの出力を一旦高さに変換して心臓位置とのずれを検出したが、限定的ではなく、角度そのものが所定の範囲か否かを判断してもよい。
【００９１】
また、適正範囲内か否かで被測定者側か壁面側に投射方向を設定したがこのような制御に限定されない。たとえば、角度センサ６５を利用して、次のような処理を実行してもよい。つまり、目の高さが適正範囲（水平方向または少し上向きの方向）になるように、カフ２０Ａの角度に応じて投射角度を変更してもよい。このようにすることで、ユーザが自分で操作しなくてもよくなる。その結果、被測定者の身体的条件にかかわらず、適切な方向に目線をコントロールすることができる。
【００９２】
なお、本変形例と、変形例１とを組合わせてもよい。
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９３】
１  血圧計、１０，１０Ａ  本体部、１２  カーラ、１３  外布、１４  内布、１６  面ファスナ、２０，２０Ａ  カフ、２１  空気袋、３０  エア系、３１  エアチューブ、３２  圧力センサ、３３  発振回路、４０，４０Ａ  表示部、４１  操作部、４１Ａ  電源スイッチ、４１Ｂ  測定スイッチ、４１Ｃ  設定スイッチ、４２  メモリ部、４３  フラッシュメモリ、４４  電源、４５  計時部、４６  データ入出力部、５０  調整ユニット、５１  ポンプ、５２  弁、５３  ポンプ駆動回路、５４  弁駆動回路、６１，６１Ａ，６１Ｂ  投射部、６２  回転部、６３  位置センサ、６５  角度センサ、７１  制御回路、７２  回転部駆動回路、７３  Ｉ／Ｆ回路、７５  Ａ／Ｄコンバータ、１００  ＣＰＵ、１０２  測定制御部、１０４  投射制御部、１３２  記録媒体。
【図１】
2010207334.tif 000003
【図２】
2010207334.tif 000004
【図３】
2010207334.tif 000005
【図４】
2010207334.tif 000006
【図５】
2010207334.tif 000007
【図６】
2010207334.tif 000008
【図７】
2010207334.tif 000009
【図８】
2010207334.tif 000010
【図９】
2010207334.tif 000011
【図１０】
2010207334.tif 000012